(57)【要約】  本開示の実施例は、物理アップリンク制御チャネルリソースの決定方法及び通信装置を開示し、前記方法は、所定のルールに従って、ＣＳＩ−ｐａｒｔ  ２の参照ビット数を決定することと、前記参照ビット数に基づいて、ＡＮ／ＳＲと、ＣＳＩ−ｐａｒｔ  １及び前記ＣＳＩ−ｐａｒｔ  ２を少なくとも含むＣＳＩとの参照ビット数の総和を決定することと、前記参照ビット数の総和に基づいて、対象となるＰＵＣＣＨリソースセットを決定することとを含む。【選択図】図２
2021517432.tif 000002
【特許請求の範囲】
【請求項１】
所定のルールに従って、第２の部分のチャネル状態情報ＣＳＩ−ｐａｒｔ  ２の参照ビット数を決定することと、
前記参照ビット数に基づいて、フィードバック情報ＡＮ／スケジューリング要求ＳＲと、第１の部分のチャネル状態情報ＣＳＩ−ｐａｒｔ  １及び前記チャネル状態情報ＣＳＩ−ｐａｒｔ  ２を少なくとも含むチャネル状態情報ＣＳＩとの参照ビット数の総和を決定することと、
前記参照ビット数の総和に基づいて、対象となる物理アップリンク制御チャネルＰＵＣＣＨリソースセットを決定することとを含む、物理アップリンク制御チャネルリソースの決定方法。
【請求項２】
前記所定のルールは、
異なるランク指示ＲＩに対応するチャネル状態情報ＣＳＩ−ｐａｒｔ  ２のビット数に基づいて、前記参照ビット数を決定することを含む、請求項１に記載の物理アップリンク制御チャネルリソースの決定方法。
【請求項３】
前記参照ビット数は、前記異なるＲＩに対応するチャネル状態情報ＣＳＩ−ｐａｒｔ  ２のビット数のうちの最小ビット数である、請求項２に記載の物理アップリンク制御チャネルリソースの決定方法。
【請求項４】
前記参照ビット数は、前記異なるＲＩに対応するチャネル状態情報ＣＳＩ−ｐａｒｔ  ２のビット数のうちの最大ビット数である、請求項２に記載の物理アップリンク制御チャネルリソースの決定方法。
【請求項５】
前記参照ビット数は、所定のＲＩに対応するチャネル状態情報ＣＳＩ−ｐａｒｔ  ２のビット数である、請求項２に記載の物理アップリンク制御チャネルリソースの決定方法。
【請求項６】
前記所定のＲＩの決定方式は、
プロトコルによって規定すること、
ネットワーク側装置によって設定すること、及び
隠れ指示方式によって指定することのうちの１つを含む、請求項５に記載の物理アップリンク制御チャネルリソースの決定方法。
【請求項７】
前記所定のルールは、
端末装置ＵＥのネットワーク側装置に前回報告したＲＩに対応するＣＳＩ−ｐａｒｔ  ２のビット数を、前記参照ビット数として決定することを含む、請求項１に記載の物理アップリンク制御チャネルリソースの決定方法。
【請求項８】
前記所定のルールは、
前記参照ビット数を０に決定することを含む、請求項１に記載の物理アップリンク制御チャネルリソースの決定方法。
【請求項９】
前記チャネル状態情報ＣＳＩ−ｐａｒｔ  １の参照ビット数を０に決定することをさらに含む、請求項８に記載の物理アップリンク制御チャネルリソースの決定方法。
【請求項１０】
ＵＥに適用される場合、
ダウンリンク制御シグナリングＤＣＩに含まれるＡＣＫ／ＮＡＣＫリソース指示子ＡＲＩに基づいて、前記対象となるＰＵＣＣＨリソースセットにおいて対象となるＰＵＣＣＨリソースを決定することと、
前記対象となるＰＵＣＣＨリソースに基づいて、前記フィードバック情報ＡＮ／スケジューリング要求ＳＲと前記チャネル状態情報ＣＳＩを伝送することとをさらに含む、請求項１に記載の物理アップリンク制御チャネルリソースの決定方法。
【請求項１１】
チャネル状態情報ＣＳＩにチャネル状態情報ＣＳＩ−ｐａｒｔ  ２が含まれていれば、所定のＰＵＣＣＨリソースセットを対象となるＰＵＣＣＨリソースセットとして決定することを含む、物理アップリンク制御チャネルリソースの決定方法。
【請求項１２】
前記所定のＰＵＣＣＨリソースセットは、他のＰＵＣＣＨリソースセットに比べて、搬送可能なアップリンク制御情報ＵＣＩのビット数が最大である、請求項１１に記載の物理アップリンク制御チャネルリソースの決定方法。
【請求項１３】
ＵＥに適用される場合、
ＤＣＩに含まれるＡＲＩに基づいて、前記対象となるＰＵＣＣＨリソースセットにおいて対象となるＰＵＣＣＨリソースを決定することと、
前記対象となるＰＵＣＣＨリソースに基づいて、フィードバック情報ＡＮ／スケジューリング情報ＳＲと前記チャネル状態情報ＣＳＩを伝送することとをさらに含む、請求項１１に記載の物理アップリンク制御チャネルリソースの決定方法。
【請求項１４】
所定のルールに従って、チャネル状態情報ＣＳＩ−ｐａｒｔ  ２の参照ビット数を決定する第１の決定モジュールと、
前記参照ビット数に基づいて、フィードバック情報ＡＮ／スケジューリング情報ＳＲと、チャネル状態情報ＣＳＩ−ｐａｒｔ  １及び前記チャネル状態情報ＣＳＩ−ｐａｒｔ  ２を少なくとも含むＣＳＩとの参照ビット数の総和を決定する第２の決定モジュールと、
前記参照ビット数の総和に基づいて、対象となるＰＵＣＣＨリソースセットを決定する第３の決定モジュールとを含む、通信装置。
【請求項１５】
前記所定のルールは、
異なるＲＩに対応するチャネル状態情報ＣＳＩ−ｐａｒｔ  ２のビット数に基づいて、前記参照ビット数を決定することを含む、請求項１４に記載の通信装置。
【請求項１６】
前記参照ビット数は、前記異なるＲＩに対応するチャネル状態情報ＣＳＩ−ｐａｒｔ  ２のビット数のうちの最小ビット数である、請求項１５に記載の通信装置。
【請求項１７】
前記参照ビット数は、前記異なるＲＩに対応するチャネル状態情報ＣＳＩ−ｐａｒｔ  ２のビット数のうちの最大ビット数である、請求項１５に記載の通信装置。
【請求項１８】
前記参照ビット数は、所定のＲＩに対応するチャネル状態情報ＣＳＩ−ｐａｒｔ  ２のビット数である、請求項１７に記載の通信装置。
【請求項１９】
前記所定のＲＩの決定方式は、
プロトコルによって規定すること、
ネットワーク側装置によって設定すること、及び
隠れ指示方式によって指定することのうちの１つを含む、請求項１８に記載の通信装置。
【請求項２０】
前記所定のルールは、
ＵＥのネットワーク側装置に前回報告したＲＩに対応するチャネル状態情報ＣＳＩ−ｐａｒｔ  ２のビット数を、前記参照ビット数として決定することを含む、請求項１４に記載の通信装置。
【請求項２１】
前記所定のルールは、
前記参照ビット数を０に決定することを含む、請求項１４に記載の通信装置。
【請求項２２】
前記チャネル状態情報ＣＳＩ−ｐａｒｔ  １の参照ビット数を０に決定する第４の決定モジュールをさらに含む、請求項２１に記載の通信装置。
【請求項２３】
前記通信装置がＵＥである場合、
ＤＣＩに含まれるＡＲＩに基づいて、前記対象となるＰＵＣＣＨリソースセットにおいて対象となるＰＵＣＣＨリソースを決定する第５の決定モジュールと、
前記対象となるＰＵＣＣＨリソースに基づいて、前記フィードバック情報ＡＮ／スケジューリング情報ＳＲと前記チャネル状態情報ＣＳＩを伝送する伝送モジュールとをさらに含む、請求項１４に記載の通信装置。
【請求項２４】
チャネル状態情報ＣＳＩにチャネル状態情報ＣＳＩ−ｐａｒｔ  ２が含まれている場合、所定のＰＵＣＣＨリソースセットを対象となるＰＵＣＣＨリソースセットとして決定する第１の決定モジュールを含む、通信装置。
【請求項２５】
前記所定のＰＵＣＣＨリソースセットは、他のＰＵＣＣＨリソースセットに比べて、搬送可能なＵＣＩのビット数が最大である、請求項２４に記載の通信装置。
【請求項２６】
前記通信装置がＵＥである場合、
ＤＣＩに含まれるＡＲＩに基づいて、前記対象となるＰＵＣＣＨリソースセットにおいて対象となるＰＵＣＣＨリソースを決定する第２の決定モジュールと、
前記対象となるＰＵＣＣＨリソースに基づいて、フィードバック情報ＡＮ／スケジューリング情報ＳＲと前記チャネル状態情報ＣＳＩを伝送する伝送モジュールとをさらに含む、請求項２５に記載の通信装置。
【請求項２７】
メモリと、プロセッサと、前記メモリに記憶され前記プロセッサ上で実行でき、前記プロセッサにより実行されると、請求項１〜１０のいずれか１項に記載の物理アップリンク制御チャネルリソースの決定方法のステップを実現するコンピュータプログラムと、を含む通信装置。
【請求項２８】
プロセッサにより実行されると、請求項１〜１０のいずれか１項に記載の物理アップリンク制御チャネルリソースの決定方法のステップを実現するコンピュータプログラムが記憶されているコンピュータ可読記憶媒体。
【請求項２９】
メモリと、プロセッサと、前記メモリに記憶され前記プロセッサ上で実行でき、前記プロセッサにより実行されると、請求項１１〜１３のいずれか１項に記載の物理アップリンク制御チャネルリソースの決定方法のステップを実現するコンピュータプログラムと、を含む通信装置。
【請求項３０】
プロセッサにより実行されると、請求項１１〜１３のいずれか１項に記載の物理アップリンク制御チャネルリソースの決定方法のステップを実現するコンピュータプログラムが記憶されているコンピュータ可読記憶媒体。
【発明の詳細な説明】
【技術分野】
【０００１】
本願は、２０１８年３月３０日に提出された中国特許出願第２０１８１０２７６６１３．６号の優先権を主張するものであり、その全ての内容は参照により本願に組み込まれるものとする。  本開示は、通信の分野に関し、特に物理アップリンク制御チャネルリソースの決定方法及び通信装置に関する。
【背景技術】
【０００２】
フィードバック情報（ＨＡＲＱ−ＡＣＫ／ＮＡＣＫ、ＡＮ）／スケジューリング要求（Ｓｃｈｅｄｕｌｉｎｇ  Ｒｅｑｕｅｓｔ、ＳＲ）を伝送する物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）と、チャネル状態信号（Ｃｈａｎｎｅｌ  Ｓｔａｔｅ  Ｉｎｆｏｒｍａｔｉｏｎ、ＣＳＩ）を伝送するＰＵＣＣＨとは、時間領域位置に重複部分がある場合、ＡＮ／ＳＲを伝送するＰＵＣＣＨと、ＣＳＩを伝送するＰＵＣＣＨとが同じ開始シンボルを有すれば、端末装置（Ｕｓｅｒ  Ｅｑｕｉｐｍｅｎｔ、ＵＥ）は、１つのＰＵＣＣＨリソースを選択してＡＮ／ＳＲ及びＣＳＩを伝送する。
【０００３】
新しい無線通信技術（Ｎｅｗ  Ｒａｄｉｏ、ＮＲ）においては、ＰＵＣＣＨリソースは、搬送可能なアップリンク制御情報（Ｕｐｌｉｎｋ  Ｃｏｎｔｒｏｌ  Ｉｎｆｏｒｍａｔｉｏｎ、ＵＣＩ）のサイズに応じて、異なるＰＵＣＣＨリソースセット（ＰＵＣＣＨ  Ｒｅｓｏｕｒｃｅ  Ｓｅｔ、ＰＵＣＣＨ  ＲＥＳＥＴ）に分けられる。例えば、ＲＥＳＥＴ０は、搬送可能なＵＣＩビット数が０＜ＵＣＩ≦２であり、ＲＥＳＥＴ１は、搬送可能なＵＣＩビット数が２＜ＵＣＩ≦Ｎ２であり、ＲＥＳＥＴ２は、搬送可能なＵＣＩビット数がＮ２＜ＵＣＩ≦Ｎ３であり、ＲＥＳＥＴ３は、搬送可能なＵＣＩビット数がＮ３＜ＵＣＩ≦Ｎ４である。ここで、Ｎ４、Ｎ２、Ｎ３は正の整数であり、かつ上位層によって供給され、Ｎ２＜Ｎ３＜Ｎ４である。
【０００４】
１つのＵＥには、各々が複数のＰＵＣＣＨリソースを含むことができる１つ以上（最大４つ）のＰＵＣＣＨリソースセットを設定することができる。ＡＮ／ＳＲを伝送するＰＵＣＣＨとＣＳＩを伝送するＰＵＣＣＨとが同じ開始シンボルを有するとき、ＵＥは、まず、ＡＮ／ＳＲとＣＳＩのビット数の総和に基づいて、１つのＰＵＣＣＨリソースセットを決定して、該ＰＵＣＣＨリソースセットから１つのＰＵＣＣＨリソースを選択してＡＮ／ＳＲとＣＳＩを伝送する。
【０００５】
しかし、ＡＮ／ＳＲとＣＳＩのビット数の総和は固定されておらず、基地局は、ＵＥがどのＰＵＣＣＨリソースセットからＰＵＣＣＨリソースを選択してＡＮ／ＳＲとＣＳＩを伝送するかを把握できないため、全ての可能なＰＵＣＣＨリソースにおいてブラインド検出を行う必要がある。
【発明の概要】
【発明が解決しようとする課題】
【０００６】
本開示の実施例は、ＡＮ／ＳＲ及びＣＳＩの伝送に用いられるＰＵＣＣＨリソースセットを正確に決定し、基地局のブラインド検出の問題を効果的に回避するように、物理アップリンク制御チャネルリソースの決定方法及び通信装置を提供することを目的とする。
【課題を解決するための手段】
【０００７】
第１の態様では、本開示の実施例に係る物理アップリンク制御チャネルリソースの決定方法は、
所定のルールに従って、ＣＳＩ−ｐａｒｔ  ２の参照ビット数を決定することと、
前記参照ビット数に基づいて、ＡＮ／ＳＲと、ＣＳＩ−ｐａｒｔ  １及び前記ＣＳＩ−ｐａｒｔ  ２を少なくとも含むＣＳＩとの参照ビット数の総和を決定することと、
前記参照ビット数の総和に基づいて、対象となるＰＵＣＣＨリソースセットを決定することとを含む。
【０００８】
第２の態様では、本開示の実施例に係る物理アップリンク制御チャネルリソースの決定方法は、
ＣＳＩにＣＳＩ−ｐａｒｔ  ２が含まれていれば、所定のＰＵＣＣＨリソースセットを対象となるＰＵＣＣＨリソースセットとして決定することを含む。
【０００９】
第３の態様では、本開示の実施例に係る通信装置は、
所定のルールに従って、ＣＳＩ−ｐａｒｔ  ２の参照ビット数を決定する第１の決定モジュールと、
前記参照ビット数に基づいて、ＡＮ／ＳＲと、ＣＳＩ−ｐａｒｔ  １及び前記ＣＳＩ−ｐａｒｔ  ２を少なくとも含むＣＳＩとの参照ビット数の総和を決定する第２の決定モジュールと、
前記参照ビット数の総和に基づいて、対象となるＰＵＣＣＨリソースセットを決定する第３の決定モジュールとを含む。
【００１０】
第４の態様では、本開示の実施例に係る通信装置は、プロセッサと、メモリと、前記メモリに記憶され前記プロセッサ上で実行でき、前記プロセッサにより実行されると、第１の態様に記載の方法のステップを実現するコンピュータプログラムとを含む。
【００１１】
第５の態様では、本開示の実施例に係るコンピュータ可読記憶媒体は、プロセッサにより実行されると、第１の態様に記載の方法のステップを実現するコンピュータプログラムが記憶されている。
【００１２】
第６の態様では、本実施例に係る通信装置は、
ＣＳＩにＣＳＩ−ｐａｒｔ  ２が含まれていれば、所定のＰＵＣＣＨリソースセットを対象となるＰＵＣＣＨリソースセットとして決定する第１の決定モジュールを含む。
【００１３】
第７の態様では、本開示の実施例に係る通信装置は、プロセッサと、メモリと、前記メモリに記憶され前記プロセッサ上で実行でき、前記プロセッサにより実行されると、第２の態様に記載の方法のステップを実現するコンピュータプログラムとを含む。
【００１４】
第８の態様では、本開示の実施例に係るコンピュータ可読記憶媒体は、プロセッサにより実行されると、第２の態様に記載の方法のステップを実現するコンピュータプログラムが記憶されている。
【発明の効果】
【００１５】
本開示の実施例では、所定のルールに従って、ＣＳＩ−ｐａｒｔ  ２の参照ビット数を決定し、ＣＳＩ−ｐａｒｔ  ２の参照ビット数に基づいて、ＡＮ／ＳＲと、ＣＳＩ−ｐａｒｔ  １及びＣＳＩ−ｐａｒｔ  ２を少なくとも含むＣＳＩとの参照ビット数の総和を決定し、ＡＮ／ＳＲとＣＳＩの参照ビット数の総和に基づいて、対象となるＰＵＣＣＨリソースセットを決定することにより、ＡＮ／ＳＲ及びＣＳＩの伝送に用いられるＰＵＣＣＨリソースセットを正確に決定し、基地局のブラインド検出の問題を効果的に回避することができる。
【００１６】
ここで説明される図面は、本開示への理解を深めるためのものであり、本開示の一部を構成し、本開示の例示的な実施例及びその説明は、本開示を説明するものであり、本開示を限定するものではない。
【図面の簡単な説明】
【００１７】
【図１】本開示の実施例に係るネットワークアーキテクチャの概略図である。
【図２】本開示の実施例に係る物理アップリンク制御チャネルリソースの決定方法のフローチャートである。
【図３】本開示の実施例に係るＡＮ／ＳＲを伝送するＰＵＣＣＨとＣＳＩを伝送するＰＵＣＣＨとが同じ開始シンボルを有する場合の概略図である。
【図４】本開示の実施例に係るＵＥに設定されたＰＵＣＣＨリソースセットの概略図である。
【図５】本開示の実施例に係る別の物理アップリンク制御チャネルリソースの決定方法のフローチャートである。
【図６】本開示の実施例に係る通信装置の概略構成図である。
【図７】本開示の実施例に係る別の通信装置の概略構成図である。
【図８】本開示の実施例に係るネットワーク側装置の概略構成図である。
【図９】本開示の実施例に係る端末装置の概略構成図である。
【発明を実施するための形態】
【００１８】
以下、本開示の実施例における図面を参照しながら、本開示の実施例における技術手段を明確かつ完全的に記載する。明らかに、記載される実施例は、本開示の実施例の一部であり、全てではない。本開示の実施例に基づいて、当業者が創造的な労働をしない前提で得られる他の全ての実施例は、いずれも本開示の保護範囲に属するものである。
【００１９】
図１を参照すると、図１は、本開示の実施例に係るネットワークアーキテクチャの概略図である。図１に示すように、ユーザ端末１１と基地局１２とを含み、ユーザ端末１１は、ＵＥであってよく、例えば、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（ｐｅｒｓｏｎａｌ  ｄｉｇｉｔａｌ  ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）などの端末側装置であってよい。なお、本開示の実施例では、ユーザ端末１１の具体的なタイプを限定しない。上記基地局１２は、５Ｇ及びより新しいバージョンの基地局（例えば、ｇＮＢ、５Ｇ  ＮＲ  ＮＢ）又は他の通信システムにおける基地局であってよく、又はノードＢと呼ばれる。なお、本開示の実施例では、５Ｇ基地局のみを例とするが、基地局１２の具体的なタイプを限定しない。
【００２０】
なお、上記ユーザ端末１１及び基地局１２の具体的な機能については、以下の複数の実施例により具体的に説明する。
【００２１】
（実施例１）
図２は、本開示の実施例に係る物理アップリンク制御チャネルリソースの決定方法のフローチャートである。前記方法は、
所定のルールに従って、ＣＳＩ−ｐａｒｔ  ２の参照ビット数を決定するステップＳ２１０と、
ＣＳＩ−ｐａｒｔ  ２の参照ビット数に基づいて、ＡＮ／ＳＲと、ＣＳＩ−ｐａｒｔ  １及びＣＳＩ−ｐａｒｔ  ２を少なくとも含むＣＳＩとの参照ビット数の総和を決定するステップＳ２２０と、
ＡＮ／ＳＲとＣＳＩとの参照ビット数の総和に基づいて、対象となるＰＵＣＣＨリソースセットを決定するステップＳ２３０とを含む。
【００２２】
実際の応用において、ＡＮ／ＳＲを伝送するＰＵＣＣＨとＣＳＩを伝送するＰＵＣＣＨとが同じ開始シンボルを有すれば、ＵＥは、１つのＰＵＣＣＨリソースを選択してＡＮ／ＳＲとＣＳＩを伝送することができる。
【００２３】
なお、ＡＮ／ＳＲは、ＡＮを含み、ＳＲを含んでも含まなくてもよいことを示す。
【００２４】
図３は、本開示の実施例に係るＡＮ／ＳＲを伝送するＰＵＣＣＨとＣＳＩを伝送するＰＵＣＣＨとが同じ開始シンボルを有する場合の概略図である。
【００２５】
図３に示すように、ある同じスロット（ｓｌｏｔ）内では、ＡＮ／ＳＲを伝送するものは、８つの直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルのＰＵＣＣＨであり、ＣＳＩを伝送するものは、７つのＯＦＤＭシンボルのＰＵＣＣＨであり、ＡＮ／ＳＲを伝送するＰＵＣＣＨとＣＳＩを伝送するＰＵＣＣＨとは同じ開始シンボルを有する。
【００２６】
実際の応用において、ＵＥには、１つ以上（最大４つ）のＰＵＣＣＨリソースセットを設定することができる。
【００２７】
図４は、本開示の実施例に係るＵＥに設定されたＰＵＣＣＨリソースセットの概略図である。
【００２８】
図４に示すように、ＵＥには、ＲＥＳＥＴ０〜ＲＥＳＥＴ３という４つのＰＵＣＣＨリソースセットが設定されており、ここで、ＲＥＳＥＴ０の搬送可能なＵＣＩビット数が０＜ＵＣＩ≦２ｂｉｔｓであり、ＲＥＳＥＴ１の搬送可能なＵＣＩのビット数が２＜ＵＣＩ≦１１ｂｉｔｓであり、ＲＥＳＥＴ２の搬送可能なＵＣＩのビット数が１１＜ＵＣＩ≦３０ｂｉｔｓであり、ＲＥＳＥＴ３の搬送可能なＵＣＩのビット数が３０＜ＵＣＩ≦Ｎ４ｂｉｔｓである。
【００２９】
ＵＥには、複数のＰＵＣＣＨリソースセットが設定されれば、ＵＥは、ＡＮ／ＳＲとＣＳＩのビット数の総和に基づいて、設定された複数のＰＵＣＣＨリソースセットから対象となるＰＵＣＣＨリソースセットを選択して、該選択された対象となるＰＵＣＣＨリソースセットにおいて、ＡＮ／ＳＲとＣＳＩを伝送する対象となるＰＵＣＣＨリソースを決定する必要がある。
【００３０】
ＣＳＩは、ＣＳＩ−ｐａｒｔ  １及びＣＳＩ−ｐａｒｔ  ２という２つの部分を少なくとも含む。ＣＳＩ−ｐａｒｔ  ２のビット数は、ランク指示（Ｒａｎｋ  Ｉｎｄｉｃａｔｉｏｎ、ＲＩ）に関連し、異なるＲＩに対応するＣＳＩ−ｐａｒｔ  ２のビット数は異なる可能性がある。基地局は、ＵＥがどのＲＩを報告するかを把握していないため、ＣＳＩ−ｐａｒｔ  ２のビット数を決定することができず、さらに、ＡＮ／ＳＲとＣＳＩのビット数の総和を決定することができない。その結果、どのＰＵＣＣＨリソースセットにおいてＰＵＣＣＨリソースを選択してＡＮ／ＳＲとＣＳＩを伝送するかを決定することができない。
【００３１】
本開示の実施例では、ＡＮ／ＳＲを伝送するＰＵＣＣＨとＣＳＩを伝送するＰＵＣＣＨとが同じ開始シンボルを有し、ＣＳＩにＣＳＩ−ｐａｒｔ  ２が含まれていれば、所定のルールに従って、ＣＳＩ−ｐａｒｔ  ２の参照ビット数を決定する。ＣＳＩ−ｐａｒｔ  ２の参照ビット数は、ＵＥがどのＰＵＣＣＨリソースセットにおいてＰＵＣＣＨリソースを選択してＡＮ／ＳＲとＣＳＩを伝送するかを決定し、基地局及びＵＥがＡＮ／ＳＲとＣＳＩを伝送するＰＵＣＣＨリソースセットに対して同じように決定する。
【００３２】
ＣＳＩ−ｐａｒｔ  ２の参照ビット数を決定する所定のルールは、以下の５種類の方式を含むが、それらに限定されない。
【００３３】
第１種：
異なるＲＩに対応するＣＳＩ−ｐａｒｔ  ２のビット数に基づいて、ＣＳＩ−ｐａｒｔ  ２の参照ビット数を決定し、ＣＳＩ−ｐａｒｔ  ２の参照ビット数は、異なるＲＩに対応するＣＳＩ−ｐａｒｔ  ２のビット数のうちの最小ビット数である。
【００３４】
例えば、ある時刻に、異なるＲＩに対応するプリコーディング行列指示子（Ｐｒｅｃｏｄｉｎｇ  Ｍａｔｒｉｘ  Ｉｎｄｉｃａｔｏｒ、ＰＭＩ）のビット数を表１に示す。
【００３５】
【表１】
2021517432.tif 000003
【００３６】
上位層に設定されたパラメータ
【００３７】
【数１】
2021517432.tif 000004
であると仮定すれば、ＲＩ、チャネル品質指示子（Ｃｈａｎｎｅｌ  Ｑｕａｌｉｔｙ  Ｉｎｄｉｃａｔｏｒ、ＣＱＩ）及びチャネルリソース指示子（Ｃｈａｎｎｅｌ  Ｒｅｓｏｕｒｃｅ  Ｉｎｄｉｃａｔｏｒ、ＣＲＩ）のビット数を表２に示す。
【００３８】
【表２】
2021517432.tif 000005
【００３９】
表２から分かるように、ＲＩ＝１〜４であるとき、１つのコードワードのみ、即ちＣＱＩのビット数＝４である第１のコードワードが含まれ、ＲＩ＝５〜８であるとき、２つのコードワード、即ちＣＱＩのビット数＝４である第１のコードワードと、ＣＱＩのビット数＝４である第２のコードワードとが含まれる。
【００４０】
したがって、ＣＳＩ−ｐａｒｔ  １のビット数＝ＲＩ＋ＣＲＩのビット数＋第１のコードワードのＣＱＩのビット数＝３＋３＋４＝１０ｂｉｔであり、ＣＳＩ−ｐａｒｔ  ２のビット数＝ＰＭＩのビット数＋第２のコードワードのＣＱＩのビット数であり、ＣＳＩ−ｐａｒｔ  ２のビット数を表３に示す。
【００４１】
【表３】
2021517432.tif 000006
【００４２】
ＣＳＩ−ｐａｒｔ  ２の参照ビット数は、異なるＲＩに対応するＣＳＩ−ｐａｒｔ  ２のビット数のうちの最小ビット数である。即ち、ＣＳＩ−ｐａｒｔ  ２の参照ビット数は７ｂｉｔである。
【００４３】
ＡＮ／ＳＲのビット数が１０ｂｉｔであれば、ＣＳＩ−ｐａｒｔ  ２の参照ビット数に基づいて、ＡＮ／ＳＲとＣＳＩの参照ビット数の総和＝ＡＮ／ＳＲのビット数＋ＣＳＩ−ｐａｒｔ  １のビット数＋ＣＳＩ−ｐａｒｔ  ２の参照ビット数＝１０＋１０＋７＝２７ｂｉｔを決定することができる。
【００４４】
ＵＥに設定されたＰＵＣＣＨリソースセットを図４に示せば、ＡＮ／ＳＲとＣＳＩの参照ビット数の総和２７ｂｉｔに基づいて、対象となるＰＵＣＣＨリソースセットをＲＥＳＥＴ２として決定する。
【００４５】
第２種：
異なるＲＩに対応するＣＳＩ−ｐａｒｔ  ２のビット数に基づいて、ＣＳＩ−ｐａｒｔ  ２の参照ビット数を決定する。ＣＳＩ−ｐａｒｔ  ２の参照ビット数は、異なるＲＩに対応するＣＳＩ−ｐａｒｔ  ２のビット数のうちの最大ビット数である。
【００４６】
上記表１〜表３を例とすると、ＣＳＩ−ｐａｒｔ  ２の参照ビット数は、異なるＲＩに対応するＣＳＩ−ｐａｒｔ  ２のビット数のうちの最大ビット数である。即ち、ＣＳＩ−ｐａｒｔ  ２の参照ビット数は１３ｂｉｔである。
【００４７】
ＡＮ／ＳＲのビット数が１０ｂｉｔであれば、ＣＳＩ−ｐａｒｔ  ２の参照ビット数に基づいて、ＡＮ／ＳＲとＣＳＩの参照ビット数の総和＝ＡＮ／ＳＲのビット数＋ＣＳＩ−ｐａｒｔ  １のビット数＋ＣＳＩ−ｐａｒｔ  ２の参照ビット数＝１０＋１０＋１３＝３３ｂｉｔを決定することができる。
【００４８】
ＵＥに設定されたＰＵＣＣＨリソースセットを図４に示せば、ＡＮ／ＳＲとＣＳＩの参照ビット数の総和３３ｂｉｔに基づいて、対象となるＰＵＣＣＨリソースセットをＲＥＳＥＴ３として決定する。
【００４９】
第３種：
異なるＲＩに対応するＣＳＩ−ｐａｒｔ  ２のビット数に基づいて、ＣＳＩ−ｐａｒｔ  ２の参照ビット数を決定する。ＣＳＩ−ｐａｒｔ  ２の参照ビット数は、所定のＲＩに対応するＣＳＩ−ｐａｒｔ  ２のビット数である。
【００５０】
例えば、所定のＲＩに対応するＣＳＩ−ｐａｒｔ  ２のビット数は、異なるＲＩに対応するＣＳＩ−ｐａｒｔ  ２のビット数のうちの最大ビット数より小さく、かつ、異なるＲＩに対応するＣＳＩ−ｐａｒｔ  ２のビット数のうちの最小ビット数より大きい。
【００５１】
さらに上記表１〜表３を例とすると、所定のＲＩがＲＩ＝５又は６であると仮定すれば、ＣＳＩ−ｐａｒｔ  ２の参照ビット数は、ＲＩ＝５又は６に対応するＣＳＩ−ｐａｒｔ  ２のビット数である。即ち、ＣＳＩ−ｐａｒｔ  ２の参照ビット数は９ｂｉｔである。ここで、ＲＩ＝５又は６に対応するＣＳＩ−ｐａｒｔ  ２のビット数９ｂｉｔは、異なるＲＩに対応するＣＳＩ−ｐａｒｔ  ２のビット数のうちの最大ビット数１３ｂｉｔより小さく、かつ、異なるＲＩに対応するＣＳＩ−ｐａｒｔ  ２のビット数のうちの最小ビット数８ｂｉｔより大きい。
【００５２】
好ましくは、所定のＲＩの決定方式は、
プロトコルによって規定すること、
ネットワーク側装置によって設定すること、及び
隠れ指示方式によって指定することのうちの１つを含む。
【００５３】
なお、所定のＲＩの決定方式は、上記３種以外、他の方式を含んでもよく、ここでは特に限定されない。
【００５４】
ＡＮ／ＳＲのビット数が１０ｂｉｔであれば、ＣＳＩ−ｐａｒｔ  ２の参照ビット数に基づいて、ＡＮ／ＳＲとＣＳＩの参照ビット数の総和＝ＡＮ／ＳＲのビット数＋ＣＳＩ−ｐａｒｔ  １のビット数＋ＣＳＩ−ｐａｒｔ  ２の参照ビット数＝１０＋１０＋９＝２９ｂｉｔを決定することができる。
【００５５】
ＵＥに設定されたＰＵＣＣＨリソースセットを図４に示せば、ＡＮ／ＳＲとＣＳＩの参照ビット数の総和３３ｂｉｔに基づいて、対象となるＰＵＣＣＨリソースセットをＲＥＳＥＴ２として決定する。
【００５６】
第４種：
ＵＥのネットワーク側装置に前回報告したＲＩに対応するＣＳＩ−ｐａｒｔ  ２のビット数を、ＣＳＩ−ｐａｒｔ２の参照ビット数として決定する。
【００５７】
ＵＥは、ＣＳＩ−ｐａｒｔ  ２の参照ビット数がＵＥの基地局に前回報告したＲＩに基づいて得られたＣＳＩ−ｐａｒｔ  ２のビット数であると仮定する。
【００５８】
さらに上記表１〜表３を例とすると、ＵＥの基地局に前回報告したＲＩがＲＩ＝７であれば、ＣＳＩ−ｐａｒｔ  ２の参照ビット数は、ＲＩ＝７に基づいて得られたＣＳＩ−ｐａｒｔ  ２のビット数である。即ち、ＣＳＩ−ｐａｒｔ  ２の参照ビット数は８ｂｉｔである。
【００５９】
ＡＮ／ＳＲのビット数が１０ｂｉｔであれば、ＣＳＩ−ｐａｒｔ  ２の参照ビット数に基づいて、ＡＮ／ＳＲとＣＳＩの参照ビット数の総和＝ＡＮ／ＳＲのビット数＋ＣＳＩ−ｐａｒｔ  １のビット数＋ＣＳＩ−ｐａｒｔ  ２の参照ビット数＝１０＋１０＋８＝２８ｂｉｔを決定することができる。
【００６０】
ＵＥに設定されたＰＵＣＣＨリソースセットを図４に示せば、ＡＮ／ＳＲとＣＳＩの参照ビット数の総和３３ｂｉｔに基づいて、対象となるＰＵＣＣＨリソースセットをＲＥＳＥＴ２として決定する。
【００６１】
第５種：
ＣＳＩ−ｐａｒｔ  ２の参照ビット数を０に決定する。
【００６２】
基地局のブラインド検出を回避するために、ＵＥは、ＡＮ／ＳＲのみがあるがＣＳＩ−ｐａｒｔ  ２がないか、又はＣＳＩがなくてＡＮ／ＳＲとＣＳＩのビット数の総和が一定であると仮定する。
【００６３】
一実施例では、ＣＳＩ−ｐａｒｔ  ２の参照ビット数を０に決定する。即ち、ＵＥは、ＡＮ／ＳＲ及びＣＳＩ−ｐａｒｔ１のみがあり、ＣＳＩ−ｐａｒｔ  ２がないと仮定する。
【００６４】
さらに上記表１〜表２を例とすると、ＡＮ／ＳＲのビット数が１０ｂｉｔであれば、ＡＮ／ＳＲとＣＳＩの参照ビット数の総和＝ＡＮ／ＳＲのビット数＋ＣＳＩ−ｐａｒｔ  １のビット数＋ＣＳＩ−ｐａｒｔ  ２の参照ビット数＝１０＋１０＋０＝２０ｂｉｔを決定することができる。
【００６５】
ＵＥに設定されたＰＵＣＣＨリソースセットを図４に示せば、ＡＮ／ＳＲとＣＳＩの参照ビット数の総和２０ｂｉｔに基づいて、対象となるＰＵＣＣＨリソースセットをＲＥＳＥＴ２として決定する。
【００６６】
別の実施例では、ＣＳＩ−ｐａｒｔ  ２の参照ビット数を０に決定し、ＣＳＩ−ｐａｒｔ  １の参照ビット数も０に決定する。即ち、ＵＥは、ＡＮ／ＳＲのみがあり、ＣＳＩがないと仮定する。
【００６７】
ＡＮ／ＳＲのビット数が１０ｂｉｔであれば、ＡＮ／ＳＲとＣＳＩの参照ビット数の総和＝ＡＮ／ＳＲのビット数＋ＣＳＩ−ｐａｒｔ  １の参照ビット数＋ＣＳＩ−ｐａｒｔ  ２の参照ビット数＝１０＋０＋０＝１０ｂｉｔを決定することができる。
【００６８】
ＵＥに設定されたＰＵＣＣＨリソースセットを図４に示せば、ＡＮ／ＳＲとＣＳＩの参照ビット数の総和１０ｂｉｔに基づいて、対象となるＰＵＣＣＨリソースセットをＲＥＳＥＴ１として決定する。
【００６９】
上記対象となるＰＵＣＣＨリソースセットを決定する方法は、ＵＥに適用される場合、ＵＥが、対象となるＰＵＣＣＨリソースセットを決定した後、
ダウンリンク制御シグナリング（Ｄｏｗｎｌｉｎｋ  Ｃｏｎｔｒｏｌ  Ｉｎｆｏｒｍａｔｉｏｎ、ＤＣＩ）に含まれるＡＣＫ／ＮＡＣＫリソース指示子（ＡＲＩ）に基づいて、対象となるＰＵＣＣＨリソースセットにおいて対象となるＰＵＣＣＨリソースを決定することと、
対象となるＰＵＣＣＨリソースに基づいて、ＡＮ／ＳＲとＣＳＩを伝送することとをさらに含む。
【００７０】
搬送可能なＵＣＩのビット数が少ない（２ｂｉｔ以下である）対象となるＰＵＣＣＨリソースセットが少なくとも８つ（最大３２個）のＰＵＣＣＨリソースを含む場合に、
対象となるＰＵＣＣＨリソースセット内のＰＵＣＣＨリソースが８つより多ければ、３ｂｉｔのＡＲＩ＋隠れ指示の方式により、ＡＮ／ＳＲとＣＳＩを伝送する対象となるＰＵＣＣＨリソースを決定することができ、
対象となるＰＵＣＣＨリソースセット内のＰＵＣＣＨリソースが８つであれば、３ｂｉｔのＡＲＩの方式により、ＡＮ／ＳＲとＣＳＩを伝送する対象となるＰＵＣＣＨリソースを決定することができる。
【００７１】
搬送可能なビット数が多い（２ｂｉｔより大きい）ＰＵＣＣＨリソースセットが８つのＰＵＣＣＨリソースを含む場合に、３ｂｉｔのＡＲＩの方式により、ＡＮ／ＳＲとＣＳＩを伝送する対象となるＰＵＣＣＨリソースを決定することができる。
【００７２】
上記対象となるＰＵＣＣＨリソースセットを決定する方法は、ネットワーク側装置に適用される場合、ネットワーク側装置が、対象となるＰＵＣＣＨリソースセットを決定した後、
ＤＣＩに含まれるＡＲＩに基づいて、対象となるＰＵＣＣＨリソースセットにおいて対象となるＰＵＣＣＨリソースを決定することと、
対象となるＰＵＣＣＨリソースで検出することとをさらに含む。
【００７３】
ネットワーク側装置は、対象となるＰＵＣＣＨリソースを決定する。即ち、ＵＥが対象となるＰＵＣＣＨリソース上でＡＮ／ＳＲとＣＳＩを伝送することを把握しているため、ネットワーク側装置は、全てのＰＵＣＣＨリソースでブラインド検出を行う必要がなく、対象となるＰＵＣＣＨリソース上で検出してよい。
【００７４】
本開示の実施例に係る技術手段は、所定のルールに従って、ＣＳＩ−ｐａｒｔ  ２の参照ビット数を決定し、ＣＳＩ−ｐａｒｔ  ２の参照ビット数に基づいて、ＡＮ／ＳＲと、ＣＳＩ−ｐａｒｔ  １及びＣＳＩ−ｐａｒｔ  ２を少なくとも含むＣＳＩとの参照ビット数の総和を決定し、ＡＮ／ＳＲとＣＳＩの参照ビット数の総和に基づいて、対象となるＰＵＣＣＨリソースセットを決定する。これにより、ＡＮ／ＳＲ及びＣＳＩの伝送に用いられるＰＵＣＣＨリソースセットを正確に決定し、基地局のブラインド検出の問題を効果的に回避することができる。
【００７５】
（実施例２）
図５は、本開示の実施例に係る別の物理アップリンク制御チャネルリソースの決定方法のフローチャートである。前記方法は、
ＣＳＩにＣＳＩ−ｐａｒｔ  ２が含まれていれば、所定のＰＵＣＣＨリソースセットを対象となるＰＵＣＣＨリソースセットとして決定するステップＳ５１０を含む。
【００７６】
ＵＥと基地局は、１つの所定のＰＵＣＣＨリソースセットを決定することにより、ＡＮ／ＳＲを伝送するＰＵＣＣＨとＣＳＩを伝送するＰＵＣＣＨとが同じ開始シンボルを有すれば、かつＣＳＩにＣＳＩ−ｐａｒｔ  ２が含まれていれば、該所定のＰＵＣＣＨリソースセットを対象となるＰＵＣＣＨリソースセットとして決定することができて、基地局及びＵＥは、ＡＮ／ＳＲとＣＳＩを伝送するＰＵＣＣＨリソースセットに対して同じように決定する。
【００７７】
好ましくは、所定のＰＵＣＣＨリソースセットは、他のＰＵＣＣＨリソースセットに比べて、搬送可能なＵＣＩのビット数が最大である。
【００７８】
例えば、搬送可能なＵＣＩのビット数が最大であるＲＥＳＥＴ３を所定のＰＵＣＣＨリソースセットとして決定する。
【００７９】
なお、所定のＰＵＣＣＨリソースセットは、搬送可能なＵＣＩのビット数が最大であるＰＵＣＣＨリソースセットであってもよい以外、他のＰＵＣＣＨリソースセットであってもよく、ここでは特に限定されない。
【００８０】
対象となるＰＵＣＣＨリソースセットを決定する上記方法は、ＵＥに適用されると、ＵＥが対象となるＰＵＣＣＨリソースセットを決定した後、
ＤＣＩに含まれるＡＲＩに基づいて、対象となるＰＵＣＣＨリソースセットにおいて対象となるＰＵＣＣＨリソースを決定することと、
対象となるＰＵＣＣＨリソースに基づいて、ＡＮ／ＳＲとＣＳＩを伝送することとをさらに含む。
【００８１】
搬送されるＵＣＩのビット数が少ない（２ｂｉｔ以下である）対象となるＰＵＣＣＨリソースセットが少なくとも８つ（最大３２個）のＰＵＣＣＨリソースを含む場合に、
対象となるＰＵＣＣＨリソースセット内のＰＵＣＣＨリソースが８つより多ければ、３ｂｉｔのＡＲＩ＋隠れ指示の方式により、ＡＮ／ＳＲとＣＳＩを伝送する対象となるＰＵＣＣＨリソースを決定してよく、
対象となるＰＵＣＣＨリソースセット内のＰＵＣＣＨリソースが８つであれば、３ｂｉｔのＡＲＩの方式により、ＡＮ／ＳＲとＣＳＩを伝送する対象となるＰＵＣＣＨリソースを決定してよい。
【００８２】
搬送ビット数が多い（２ｂｉｔより大きい）ＰＵＣＣＨリソースセットが８つのＰＵＣＣＨリソースを含む場合に、３ｂｉｔのＡＲＩの方式により、ＡＮ／ＳＲとＣＳＩを伝送する対象となるＰＵＣＣＨリソースを決定してよい。
【００８３】
対象となるＰＵＣＣＨリソースセットを決定する上記方法は、ネットワーク側装置に適用されると、ネットワーク側装置が対象となるＰＵＣＣＨリソースセットを決定した後、
ＤＣＩに含まれるＡＲＩに基づいて、対象となるＰＵＣＣＨリソースセットにおいて対象となるＰＵＣＣＨリソースを決定することと、
対象となるＰＵＣＣＨリソースで検出することとをさらに含む。
【００８４】
ネットワーク側装置は、対象となるＰＵＣＣＨリソースを決定すると、ＵＥがこの対象となるＰＵＣＣＨリソースでＡＮ／ＳＲとＣＳＩを伝送することを把握しているため、全てのＰＵＣＣＨリソースでブラインド検出を行うことはなく、対象となるＰＵＣＣＨリソース上で検出すればよい。
【００８５】
本開示の実施例に係る技術手段は、ＣＳＩにＣＳＩ−ｐａｒｔ  ２が含まれていれば、所定のＰＵＣＣＨリソースセットを対象となるＰＵＣＣＨリソースセットとして決定することにより、ＡＮ／ＳＲ及びＣＳＩの伝送に用いられるＰＵＣＣＨリソースセットを正確に決定し、基地局のブラインド検出の問題を効果的に回避することができる。
【００８６】
（実施例３）
図６は、本開示の実施例に係る通信装置の概略構成図である。図６に示す通信装置６００は、
所定のルールに従って、ＣＳＩ−ｐａｒｔ  ２の参照ビット数を決定する第１の決定モジュール６０１と、
参照ビット数に基づいて、ＡＮ／ＳＲと、ＣＳＩ−ｐａｒｔ  １及びＣＳＩ−ｐａｒｔ  ２を少なくとも含むＣＳＩとの参照ビット数の総和を決定する第２の決定モジュール６０２と、
参照ビット数の総和に基づいて、対象となるＰＵＣＣＨリソースセットを決定する第３の決定モジュール６０３とを含む。
【００８７】
好ましくは、所定のルールは、
異なるＲＩに対応するＣＳＩ−ｐａｒｔ  ２のビット数に基づいて、ＣＳＩ−ｐａｒｔ  ２の参照ビット数を決定することを含む。
【００８８】
好ましくは、ＣＳＩ−ｐａｒｔ  ２の参照ビット数は、異なるＲＩに対応するＣＳＩ−ｐａｒｔ  ２のビット数のうちの最小ビット数である。
【００８９】
好ましくは、ＣＳＩ−ｐａｒｔ  ２の参照ビット数は、異なるＲＩに対応するＣＳＩ−ｐａｒｔ  ２のビット数のうちの最大ビット数である。
【００９０】
好ましくは、ＣＳＩ−ｐａｒｔ  ２の参照ビット数は、所定のＲＩに対応するＣＳＩ−ｐａｒｔ  ２のビット数である。
【００９１】
好ましくは、所定のＲＩの決定方式は、
プロトコルによって規定すること、
ネットワーク側装置によって設定すること、及び
隠れ指示方式によって指定することのうちの１つを含む。
【００９２】
好ましくは、所定のルールは、
ＵＥのネットワーク側装置に前回報告したＲＩに対応するＣＳＩ−ｐａｒｔ  ２のビット数をＣＳＩ−ｐａｒｔ２の参照ビット数として決定することを含む。
【００９３】
好ましくは、所定のルールは、
ＣＳＩ−ｐａｒｔ  ２の参照ビット数を０に決定することを含む。
【００９４】
好ましくは、通信装置６００は、
ＣＳＩ−ｐａｒｔ  １の参照ビット数を０に決定する第４の決定モジュールをさらに含む。
【００９５】
好ましくは、通信装置６００は、端末装置である場合に、
ＤＣＩに含まれるＡＲＩに基づいて、対象となるＰＵＣＣＨリソースセットにおいて対象となるＰＵＣＣＨリソースを決定する第５の決定モジュールと、
対象となるＰＵＣＣＨリソースに基づいて、ＡＮ／ＳＲとＣＳＩを伝送する伝送モジュールとをさらに含む。
【００９６】
本開示の実施例に係る通信装置６００は、図２の方法の実施例における通信装置によって実現される各プロセスを実現することができ、重複を避けるために、ここでは説明を省略する。
【００９７】
なお、通信装置６００は、端末装置であってもよく、ネットワーク側装置であってもよく、ここでは特に限定されない。
【００９８】
（実施例４）
図７は、本開示の実施例に係る別の通信装置の概略構成図である。図７に示す通信装置７００は、
ＣＳＩにＣＳＩ−ｐａｒｔ  ２が含まれている場合、所定のＰＵＣＣＨリソースセットを対象となるＰＵＣＣＨリソースセットとして決定する第１の決定モジュール７０１を含む。
【００９９】
好ましくは、所定のＰＵＣＣＨリソースセットは、他のＰＵＣＣＨリソースセットに比べて、搬送可能なＵＣＩのビット数が最大である。
【０１００】
好ましくは、通信装置７００は、端末装置である場合に、
ＤＣＩに含まれるＡＲＩに基づいて、対象となるＰＵＣＣＨリソースセットにおいて対象となるＰＵＣＣＨリソースを決定する第２の決定モジュールと、
対象となるＰＵＣＣＨリソースに基づいて、ＡＮ／ＳＲとＣＳＩを伝送する伝送モジュールとをさらに含む。
【０１０１】
本開示の実施例に係る通信装置７００は、図５の方法の実施例における通信装置によって実現される各プロセスを実現することができ、重複を避けるために、ここでは説明を省略する。
【０１０２】
なお、通信装置７００は、端末装置であってもよく、ネットワーク側装置であってもよく、ここでは特に限定されない。
【０１０３】
（実施例５）
図８を参照すると、図８は、本開示の実施例に係るネットワーク側装置の概略構成図であり、図２や図５に示される実施例の方法の詳細を実現し、同様な効果を達成することができる。図８に示すように、ネットワーク側装置８００は、プロセッサ８０１、トランシーバ８０２、メモリ８０３、ユーザインタフェース８０４及びバスインタフェースを含み、
本開示の実施例では、ネットワーク側装置８００は、メモリ８０３に記憶されプロセッサ８０１上で実行できるコンピュータプログラムをさらに含み、コンピュータプログラムがプロセッサ８０１によって実行されると、
所定のルールに従って、ＣＳＩ−ｐａｒｔ  ２の参照ビット数を決定し、参照ビット数に基づいて、ＡＮ／ＳＲと、ＣＳＩ−ｐａｒｔ  １及び前記ＣＳＩ−ｐａｒｔ  ２を少なくとも含むＣＳＩとの参照ビット数の総和を決定するステップ、参照ビット数の総和に基づいて、対象となるＰＵＣＣＨリソースセットを決定するステップと、
ＣＳＩにＣＳＩ−ｐａｒｔ  ２が含まれていれば、所定のＰＵＣＣＨリソースセットを対象となるＰＵＣＣＨリソースセットとして決定するステップの少なくともいずれかを実現する。
【０１０４】
図８において、バスアーキテクチャは、任意の数の相互接続されたバス及びブリッジを含んでよく、具体的には、プロセッサ８０１に代表される１つ以上のプロセッサ及びメモリ８０３に代表されるメモリの様々な回路によって一体に接続される。バスアーキテクチャは、さらに、周辺装置、調整器及び電力管理回路等の様々なその他の回路を一体に接続することができ、これらはいずれも本分野において既知のものであるため、本明細書においてさらなる説明を省略する。バスインタフェースは、インタフェースを提供する。トランシーバ８０２は、複数の部品であってよい。即ち、送信機及び受信機を含み、伝送媒体上で様々な他の装置と通信するためのユニットを提供する。異なるユーザ装置によって、ユーザインタフェース８０４は、必要な装置と外部接続／内部接続可能なインタフェースであってよく、接続される装置は、キーパッド、ディスプレイ、スピーカ、マイクロホン、ジョイスティックなどを含むが、それらに限定されない。
【０１０５】
プロセッサ８０１は、バスアーキテクチャ及び一般的な処理の管理を担当し、メモリ８０３は、プロセッサ８０１が動作実行時に用いられるデータを記憶してよい。
【０１０６】
ネットワーク側装置８００は、前述の図２及び／又は図５に示される実施例における通信装置によって実現される各プロセスを実現することができ、重複を避けるために、ここでは説明を省略する。
【０１０７】
本開示の実施例に係るコンピュータ可読記憶媒体は、プロセッサによって実行されると、上記図２や図５に示される方法の実施例の各プロセスを実現し、かつ同様な技術的効果を達成することができるコンピュータプログラムが記憶されており、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスク又は光ディスクなどであってよい。
【０１０８】
図９は、本開示の実施例に係る端末装置の概略構成図である。図９に示す端末装置９００は、少なくとも１つのプロセッサ９０１、メモリ９０２、少なくとも１つのネットワークインタフェース９０４及びユーザインタフェース９０３を含む。端末装置９００内の各組立部品は、バスシステム９０５により結合される。バスシステム９０５は、これらの組立部品間の接続通信を実現するためのものである。バスシステム９０５は、データバス以外、電源バス、制御バス及び状態信号バスをさらに含む。しかしながら、説明を明らかにするために、図９において、様々なバスをいずれもバスシステム９０５と表記する。
【０１０９】
ユーザインタフェース９０３は、ディスプレイ、キーボード又はポインティングデバイス（例えば、マウス、トラックボール（ｔｒａｃｋｂａｌｌ）、タッチパッド又はタッチスクリーンなど）を含んでよい。
【０１１０】
本開示の実施例におけるメモリ９０２は、揮発性メモリ又は不揮発性メモリであってもよく、揮発性及び不揮発性メモリの両方を含んでもよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能プログラマブル読み取り専用メモリ（Ｅｒａｓａｂｌｅ  ＰＲＯＭ、ＥＰＲＯＭ）、電気的消去可能プログラマブル読み取り専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってもよい。限定的なものではなく例示的な説明によれば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）などの多くの形態のＲＡＭは使用可能である。本開示の実施例に係るシステム及び方法におけるメモリ９０２は、これらのメモリ及び任意の他の適切なタイプのメモリを含むが、これらに限定されないことが意図される。
【０１１１】
いくつかの実施形態では、メモリ９０２は、実行可能モジュール又はデータ構造、又はそれらのサブセット、又はそれらの拡張セット（オペレーティングシステム９０２１及びアプリケーションプログラム９０２２）などの要素を記憶している。
【０１１２】
オペレーティングシステム９０２１は、様々な基本タスクを実現し、かつハードウェアベースのタスクを処理するための、フレームワーク層、コアライブラリ層、ドライバ層などの様々なシステムプログラムを含む。アプリケーションプログラム９０２２は、様々なアプリケーションサービスを実現するための、メディアプレーヤー（Ｍｅｄｉａ  Ｐｌａｙｅｒ）、ブラウザ（Ｂｒｏｗｓｅｒ）などの様々なアプリケーションプログラムを含む。本開示の実施例に係る方法を実現するプログラムは、アプリケーションプログラム９０２２に含まれてよい。
【０１１３】
本開示の実施例では、端末装置９００は、メモリ９０２に記憶されプロセッサ９０１上で実行できるコンピュータプログラムをさらに含み、コンピュータプログラムがプロセッサ９０１によって実行されると、
所定のルールに従って、ＣＳＩ−ｐａｒｔ  ２の参照ビット数を決定し、参照ビット数に基づいて、ＡＮ／ＳＲと、ＣＳＩ−ｐａｒｔ  １及び前記ＣＳＩ−ｐａｒｔ  ２を少なくとも含むＣＳＩとの参照ビット数の総和を決定するステップ、前記参照ビット数の総和に基づいて、対象となるＰＵＣＣＨリソースセットを決定するステップと、
ＣＳＩにＣＳＩ−ｐａｒｔ  ２が含まれていれば、所定のＰＵＣＣＨリソースセットを対象となるＰＵＣＣＨリソースセットとして決定するステップの少なくともいずれかを実現する。
【０１１４】
上記本開示の実施例に係る方法は、プロセッサ９０１に適用されてもよく、プロセッサ９０１によって実現されてもよい。プロセッサ９０１は、信号の処理能力を備える集積回路チップである可能性がある。実現プロセスにおいて、上記方法の各ステップは、プロセッサ９０１内のハードウェアの集積論理回路又はソフトウェアの形態の命令によって実現することができる。上記プロセッサ９０１は、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブル論理デバイス、ディスクリートゲート又はトランジスタロジック、ディスクリートハードウェアコンポーネントであってよい。本開示の実施例に係る各方法、ステップ及び論理ブロック図を実現又は実行することができる。汎用プロセッサは、マイクロプロセッサであってもよく、任意の通常のプロセッサなどであってもよい。本開示の実施例に係る方法のステップは、ハードウェア復号プロセッサによって実行して完成されるか、又は復号プロセッサ内のハードウェアとソフトウェアモジュールとの組み合わせによって実行して完成されるものとして、直接的に具体化され得る。ソフトウェアモジュールは、ランダムメモリ、フラッシュメモリ、読み取り専用メモリ、プログラマブル読み取り専用メモリ又は電気的消去可能プログラマブル読み取り専用メモリ、レジスター等の、本分野において十分に確立されたコンピュータ可読記憶媒体に位置してよい。該コンピュータ可読記憶媒体がメモリ９０２に位置し、プロセッサ９０１は、メモリ９０２内の情報を読み取って、ハードウェアと組み合わせて上記方法のステップを完成させる。具体的には、該コンピュータ可読記憶媒体には、プロセッサ９０１によって実行されると、上記図２や図５に示される方法の実施例の各ステップを実現するコンピュータプログラムが記憶されている。
【０１１５】
本開示の実施例に係るこれらの実施例は、ハードウェア、ソフトウェア、ファームウェア、ミドルウェア、マイクロコード、又はそれらの組み合わせによって実現されてよい。ハードウェアによる実現について、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタルシグナルプロセッサ（Ｄｉｇｉｔａｌ  Ｓｉｇｎａｌ  Ｐｒｏｃｅｓｓｏｒ、ＤＳＰ）、デジタル信号処理デバイス（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するための他の電子ユニット又はそれらの組み合わせにおいて実現されてよい。
【０１１６】
ソフトウェアによる実現について、本開示の実施例に係る機能を実行するモジュール（例えば、プロセス、関数など）により、本開示の実施例に係る技術を実現してよい。ソフトウェアコードは、メモリに記憶され、かつプロセッサによって実行されてよい。メモリは、プロセッサ内又はプロセッサ外で実現されてよい。
【０１１７】
端末装置９００は、前述の図２や図５に示される実施例における通信装置によって実現される各プロセスを実現することができ、重複を避けるために、ここでは説明を省略する。
【０１１８】
本開示の実施例に係るコンピュータ可読記憶媒体は、プロセッサによって実行されると、上記図２や図５に示される方法の実施例の各プロセスを実現し、かつ同様な技術的効果を達成することができるコンピュータプログラムが記憶されており、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭと略称）、ランダムアクセスメモリ（Ｒａｎｄｏｍ  Ａｃｃｅｓｓ  Ｍｅｍｏｒｙ、ＲＡＭと略称）、磁気ディスク又は光ディスクなどであってよい。
【０１１９】
なお、本明細書において、用語「含む」、「備える」又はそれらの任意の変形は、非排他的に含むことをカバーすることを意図することにより、一連の要素を含むプロセス、方法、物品又は装置は、それらの要素を含むだけでなく、明確に例示されていない他の要素をさらに含むか、又はこれらのプロセス、方法、物品又は装置固有の要素をさらに含む。より多くの限定がない場合に、語句「１つ・・・を含む」により限定された要素は、該要素を含むプロセス、方法、物品又は装置に別の同一の要素がさらに存在することを排除するものではない。
【０１２０】
以上の実施形態の説明により、当業者が明確に理解できるように、上記実施例の方法はソフトウェアと必要な汎用ハードウェアプラットフォームを併用した方法で実現でき、当然のことながらハードウェアでも実現できるが、多くの場合に前者がより好ましい実施形態である。このような理解に基づいて、本開示の技術手段は、本質的又は関連技術に寄与する部分がソフトウェア製品の形態で具現化され得て、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク側装置などであってもよい）に本開示の各実施例に記載の方法を実行させるための複数の命令を含む。
【０１２１】
以上で図面を結合して本開示の実施例を説明したが、本開示は、上記具体的な実施形態に限定されるものではなく、上記具体的な実施形態は、ただ例示的なものであり、制限的なものではなく、当業者であれば本開示の示唆で、本開示の趣旨及び特許請求の範囲の保護範囲から逸脱せずに多くの形式を行うことができ、これらは、いずれも本開示の保護範囲内に属する。
【図１】
2021517432.tif 000007
【図２】
2021517432.tif 000008
【図３】
2021517432.tif 000009
【図４】
2021517432.tif 000010
【図５】
2021517432.tif 000011
【図６】
2021517432.tif 000012
【図７】
2021517432.tif 000013
【図８】
2021517432.tif 000014
【図９】
2021517432.tif 000015
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
所定のルールに従って、第２の部分のチャネル状態情報ＣＳＩ−ｐａｒｔ  ２の参照ビット数を決定することと、
前記参照ビット数に基づいて、フィードバック情報ＡＮ／スケジューリング要求ＳＲと、第１の部分のチャネル状態情報ＣＳＩ−ｐａｒｔ  １及び前記チャネル状態情報ＣＳＩ−ｐａｒｔ  ２を少なくとも含むチャネル状態情報ＣＳＩとの参照ビット数の総和を決定することと、
前記参照ビット数の総和に基づいて、対象となる物理アップリンク制御チャネルＰＵＣＣＨリソースセットを決定することとを含む、物理アップリンク制御チャネルリソースの決定方法。
【請求項２】
前記所定のルールは、
異なるランク指示ＲＩに対応するチャネル状態情報ＣＳＩ−ｐａｒｔ  ２のビット数に基づいて、前記参照ビット数を決定することを含む、請求項１に記載の物理アップリンク制御チャネルリソースの決定方法。
【請求項３】
前記参照ビット数は、所定のＲＩに対応するチャネル状態情報ＣＳＩ−ｐａｒｔ  ２のビット数である、請求項２に記載の物理アップリンク制御チャネルリソースの決定方法。
【請求項４】
前記所定のＲＩの決定方式は、
プロトコルによって規定すること、
ネットワーク側装置によって設定すること、及び
隠れ指示方式によって指定することのうちの１つを含む、請求項３に記載の物理アップリンク制御チャネルリソースの決定方法。
【請求項５】
ＵＥに適用される場合、
ダウンリンク制御シグナリングＤＣＩに含まれるＡＣＫ／ＮＡＣＫリソース指示子ＡＲＩに基づいて、前記対象となるＰＵＣＣＨリソースセットにおいて対象となるＰＵＣＣＨリソースを決定することと、
前記対象となるＰＵＣＣＨリソースに基づいて、前記フィードバック情報ＡＮ／スケジューリング情報ＳＲと前記チャネル状態情報ＣＳＩを伝送することとをさらに含む、請求項１に記載の物理アップリンク制御チャネルリソースの決定方法。
【請求項６】
前記所定のルールは、
端末装置ＵＥのネットワーク側装置に前回報告したＲＩに対応するチャネル状態情報ＣＳＩ−ｐａｒｔ  ２のビット数を、前記参照ビット数として決定することを含み、または、
前記所定のルールは、
前記参照ビット数を０に決定することを含む、請求項１に記載の物理アップリンク制御チャネルリソースの決定方法。
【請求項７】
前記チャネル状態情報ＣＳＩ−ｐａｒｔ  １の参照ビット数を０に決定することをさらに含む、請求項６に記載の物理アップリンク制御チャネルリソースの決定方法。
【請求項８】
所定のルールに従って、チャネル状態情報ＣＳＩ−ｐａｒｔ  ２の参照ビット数を決定する第１の決定モジュールと、
前記参照ビット数に基づいて、フィードバック情報ＡＮ／スケジューリング情報ＳＲと、チャネル状態情報ＣＳＩ−ｐａｒｔ  １及び前記チャネル状態情報ＣＳＩ−ｐａｒｔ  ２を少なくとも含むチャネル状態情報ＣＳＩとの参照ビット数の総和を決定する第２の決定モジュールと、
前記参照ビット数の総和に基づいて、対象となるＰＵＣＣＨリソースセットを決定する第３の決定モジュールとを含む、通信装置。
【請求項９】
前記所定のルールは、
異なるＲＩに対応するチャネル状態情報ＣＳＩ−ｐａｒｔ  ２のビット数に基づいて、前記参照ビット数を決定することを含む、請求項８に記載の通信装置。
【請求項１０】
前記参照ビット数は、所定のＲＩに対応するチャネル状態情報ＣＳＩ−ｐａｒｔ  ２のビット数である、請求項９に記載の通信装置。
【請求項１１】
前記所定のＲＩの決定方式は、
プロトコルによって規定すること、
ネットワーク側装置によって設定すること、及び
隠れ指示方式によって指定することのうちの１つを含む、請求項１０に記載の通信装置。
【請求項１２】
前記通信装置がＵＥである場合、
ＤＣＩに含まれるＡＲＩに基づいて、前記対象となるＰＵＣＣＨリソースセットにおいて対象となるＰＵＣＣＨリソースを決定する第５の決定モジュールと、
前記対象となるＰＵＣＣＨリソースに基づいて、前記フィードバック情報ＡＮ／スケジューリング情報ＳＲと前記チャネル状態情報ＣＳＩを伝送する伝送モジュールとをさらに含む、請求項８に記載の通信装置。
【請求項１３】
前記所定のルールは、
ＵＥのネットワーク側装置に前回報告したＲＩに対応するチャネル状態情報ＣＳＩ−ｐａｒｔ  ２のビット数を、前記参照ビット数として決定することを含み、または、
前記所定のルールは、
前記参照ビット数を０に決定することを含む、請求項８に記載の通信装置。
【請求項１４】
前記チャネル状態情報ＣＳＩ−ｐａｒｔ  １の参照ビット数を０に決定する第４の決定モジュールをさらに含む、請求項１３に記載の通信装置。
【請求項１５】
コンピュータプログラムが記憶されているコンピュータ可読記憶媒体であって、
前記コンピュータプログラムがプロセッサにより実行されると、
所定のルールに従って、第２の部分のチャネル状態情報ＣＳＩ−ｐａｒｔ  ２の参照ビット数を決定するステップと、
前記参照ビット数に基づいて、フィードバック情報ＡＮ／スケジューリング要求ＳＲと、第１の部分のチャネル状態情報ＣＳＩ−ｐａｒｔ  １及び前記チャネル状態情報ＣＳＩ−ｐａｒｔ  ２を少なくとも含むチャネル状態情報ＣＳＩとの参照ビット数の総和を決定するステップと、
前記参照ビット数の総和に基づいて、対象となる物理アップリンク制御チャネルＰＵＣＣＨリソースセットを決定するステップとを実現される、コンピュータ可読記憶媒体。
【国際調査報告】
2021517432.tif 000016
2021517432.tif 000017
2021517432.tif 000018
2021517432.tif 000019